(57)【特許請求の範囲】
【請求項１】
フライパンや鍋蓋などの外観扁平な調理器具を収納するキッチンラックであって、
両端部に対向配置されて上記調理器具を支承する一対の支持部材と、
これら支持部材間に平行に配置されて両端部が各々上記支持部材の側面下部に接合された一対の第１の支持杆と、
これら第１の支持杆の上方に間隔おいて配設されて、両端部が各々上記支持部材の上記側面下部に接合された一対の第２の支持杆と、
上記支持部材間に配置されて上記調理器具を支承する一対の第２の支持部材とを備えてなり、
上記第２の支持部材は、互いの両側面下部同士を連結する一対の第１の連結杆と、当該第１の連結杆の上方に平行に配設された一対の第２の連結杆によって一体化され、これら第１および第２の連結杆が上記第１および第２の支持杆の間に挿入されて配置された際に、上記支持部材間に移動自在に設けられるとともに、
上記一対の第１の支持杆の間には、上記第２の支持部材が、上記第１および第２の連結杆の間に上記一対の第１の支持杆が挿入されて配置された際に、一方の上記第２の支持部材の側面下部に当接し、上記第２の支持部材の移動を規制するストッパー部材が架設されていることを特徴とするキッチンラック。
【請求項２】
上記一対の第２の支持部材は、各々が線材によって門型状に形成されていることを特徴とする請求項１に記載のキッチンラック。
【請求項３】
上記一対の支持部材は、一方の上記支持部材の頂辺部に、対向する他方の上記支持部材に対して、下方から上方に向かい離間する方向に曲折された支持脚部が形成されていることを特徴とする請求項１または２に記載のキッチンラック。
【請求項４】
上記一対の支持部材およびこれら支持部材間に配置された一対の第２の支持部材は、上記一対の支持部材の一方から他方に向かうに従って高さ寸法が低くなるように、上記一対の支持部材の一方が上記一対の第２の支持部材の一方よりも高く形成されているとともに、上記一対の支持部材の他方が上記一対の第２の支持部材の他方よりも低く形成されていることを特徴とする請求項１〜３のいずれかに記載のキッチンラック。
【請求項５】
上記一対の支持部材および上記一対の第２の支持部材には、各々の頂辺部の中央に凹部が形成されていることを特徴とする請求項１〜４のいずれかに記載のキッチンラック。
【発明の詳細な説明】
【技術分野】
【０００１】
本発明は、フライパンや鍋蓋など外観扁平な調理器具を収納するキッチンラックに関するものである。
【背景技術】
【０００２】
一般に、台所や調理場で使用されるフライパンや鍋蓋などの外観扁平な調理器具は、調理終了後に洗剤などを使用して洗浄し、布巾などによって水分を取り除いたり、または壁に吊しておくか、専用のラックを使用し立て掛けたりして水分を蒸発させ、次の調理が行えるようにしている。なお、布巾などによって水分を取り除く場合においても、拭き取り後は、壁に吊しておくか、または専用のラックなどに収納している。
【０００３】
さらに、深さが異なったり、大きさの異なるフライパンなどを複数利用して調理する場合には、洗浄後の乾燥や収納する場所が必要になるとともに、限られたスペースを有効活用して、これら深さや大きさの異なるフライパンを収納することができる専用のラックが不可欠となってくる。
【０００４】
また、最近のキッチンは、備え付けの抽斗に、フライパンや鍋蓋などを立てた状態のまま収納することができるタイプのものがある。そのため、深さや大きさの異なるフライパンや鍋蓋を効率良く立て掛けられ、かつ抽斗に無理なく収納することができる専用のラックが必要となる。
【０００５】
そこで、限られたスペースのキッチンの上や抽斗に収納する専用のラックとして、例えば、下記特許文献１においては、下貫板が所定の間隔を隔てて相対向して設けられ、かつ、前記下貫板を跨がって複数の仕切板が立設された鍋蓋収納ラックであって、前記複数の仕切板の周辺部に溝を設けたものが提案されている。
【０００６】
しかし、この従来の鍋蓋収納ラックは、上記下貫板に跨がり、間隔を置いて立設されている複数の仕切板同士の間隔が、製造過程において決められてしまうため、鍋蓋の高さ寸法や摘み部の高さ寸法に合うように、想定される寸法ごとに、いくつもの仕切板を立設しなければならず、ラック自体が大型化してしまい、キッチンに備え付けの引き出しに入らなくなってしまうという問題がある。また収納する引き出しの大きさに合わせてラックを製造すると、ラックを使用できる鍋蓋が限定されてしまうという問題もある。
【０００７】
そこで、下記特許文献２においては、引き出しに設置して、フライパンや片手鍋などを保持・収納するためのフライパンラックであって、前記ラックは少なくともその一部が線材によって構成されており、前記ラック上面に可動する仕切り棒が設けられ、前記仕切り棒と前記ラック上面の間は嵌合部材によって接続されたものが提案されている。
【０００８】
この従来のフライパンラックは、上記ラック上面に設けられた上記仕切り棒を可動させることにより、収納スペースを変更することができ、簡単に様々の深さ寸法のフライパンを効率良く収納することができるものである。
【先行技術文献】
【特許文献】
【０００９】
【特許文献１】実用新案登録第３１２１０１９号公報
【特許文献２】特開２０１０１４８７８８号公報
【発明の概要】
【発明が解決しようとする課題】
【００１０】
ところが、この従来のフライパンラックは、ラック上面に設けられた上記仕切り棒をスライドさせることにより、簡単に収納スペースを変更することができるが、上記仕切り棒が架橋されているラック上面は、幅寸法が上記仕切り棒の長さ寸法により設定されてしまうために、収納できるフライパンの直径寸法が、自ずと決まってしまい、大きな直径寸法のフライパンを収納することができないという問題がある。
【００１１】
また、このフライパンラックは、フライパンを立てた状態でしか収納することができないため、限られたスペースしかないキッチンの上などに載置し、複数個のフライパンを収納する際には、当該フライパンの柄のスペースも確保する必要があるという問題もある。
【００１２】
本発明は、かかる事情に鑑みてなされたもので、フライパンや鍋蓋など外観扁平な調理器具を収納する際に、異なる大きさの調理器具を収納することができ、かつ限られたスペースでも容易に載置することができるキッチンラックを提供することを課題とするものである。
【課題を解決するための手段】
【００１３】
上記課題を解決するために、請求項１に記載の発明は、フライパンや鍋蓋などの外観扁平な調理器具を収納するキッチンラックであって、両端部に対向配置されて上記調理器具を支承する一対の支持部材と、これら支持部材間に平行に配置されて両端部が各々上記支持部材の側面下部に接合された一対の第１の支持杆と、これら第１の支持杆の上方に間隔おいて配設されて、両端部が各々上記支持部材の上記側面下部に接合された一対の第２の支持杆と、上記支持部材間に配置されて上記調理器具を支承する一対の第２の支持部材とを備えてなり、上記第２の支持部材は、互いの両側面下部同士を連結する一対の第１の連結杆と、当該第１の連結杆の上方に平行に配設された一対の第２の連結杆によって一体化され、これら第１および第２の連結杆が上記第１および第２の支持杆の間に挿入されて配置された際に、上記支持部材間に移動自在に設けられるとともに、上記一対の第１の支持杆の間には、上記第２の支持部材が、上記第１および第２の連結杆の間に上記一対の第１の支持杆が挿入されて配置された際に、一方の上記第２の支持部材の側面下部に当接し、上記第２の支持部材の移動を規制するストッパー部材が架設されていることを特徴とするものである。
【００１４】
また、請求項２に記載の発明は、請求項１に記載の発明において、上記一対の第２の支持部材は、各々が線材によって門型状に形成されていることを特徴とするものである。
【００１５】
そして、請求項３に記載の発明は、請求項１または２に記載の発明において、上記一対の支持部材は、一方の上記支持部材の頂辺部に、対向する他方の上記支持部材に対して、下方から上方に向かい離間する方向に曲折された支持脚部が形成されていることを特徴とするものである。
【００１６】
さらに、請求項４に記載の本発明は、請求項１〜３のいずれかに記載の発明において、上記一対の支持部材およびこれら支持部材間に配置された一対の第２の支持部材は、上記一対の支持部材の一方から他方に向かうに従って高さ寸法が低くなるように、上記一対の支持部材の一方が上記一対の第２の支持部材の一方よりも高く形成されているとともに、上記一対の支持部材の他方が上記一対の第２の支持部材の他方よりも低く形成されていることを特徴とするものである。
【００１７】
また、請求項５に記載の本発明は、請求項１〜４のいずれかに記載の発明において、上記一対の支持部材および上記一対の第２の支持部材には、各々の頂辺部の中央に凹部が形成されていることを特徴とするものである。
【発明の効果】
【００１８】
請求項１〜３に記載の本発明によれば、一体化された一対の第２の支持部材の第１および第２の連結杆が、第１および第２の支持杆の間に挿入されて配置された際に、一対の支持部材間に移動自在に設けられているため、水平面に当該一対の支持部材を立設させて載置する場合には、一体化された上記一対の第２の支持部材の上記第１および第２の連結杆を、上記第１および第２の支持杆の間に沿って移動させることにより、上記支持部材と上記第２の支持部との間隔を調整することができる。これにより、様々な深さ寸法のフライパンを収納することができる。
【００１９】
また、上記一対の第１の支持杆の間には、上記第１および第２の連結杆の間に上記第１の支持杆が挿入されて配置された際に、一方の上記第２の支持部材の側面下部に当接し、上記第２の支持部材の移動を規制するストッパー部材が架設されているため、上記一対の支持部材の一方側を水平面に載置して、上記一対の第２の支持部材のいずれかに、フライパンまたは鍋蓋を水平に載置しても、上記一対の第２の支持部材が下方に落下することを防止することができる。これにより、フライパンや鍋蓋を立て掛けて収納するだけでなく、鉛直方向に複数収納するこができ、用途や限られたスペースに適合させて使用することができる。
【００２０】
請求項２に記載の発明によれば、上記一対の第２の支持部材は、各々が線材により門型状に形成されているため、上記一対の支持部材を水平面に立設させて使用している状態から、９０°回転させて、上記一対の支持部材の一方を水平面に載置して使用する状態に変更する場合、またはその逆の変更の場合には、上記一対の第２の支持部材の弾性を利用し、その側面下部近傍を弾性に抗して内方に押圧することにより、上記第１および第２の連結杆を上記第１および第２の支持杆の間に挿入して配置、または上記第１および第２の連結杆を上記第１の支持杆に挟んで配置することを簡便に行うことができる。
【００２１】
また、上記一対の第２の支持部材が持つ弾性により、一体化された上記一対の第２の支持部材を移動する際に、上記第１および第２の支持杆の間から外れることがないとともに、移動した位置を保持することができる。また、上記第１の支持杆を挟んで配置されている状態においても、ストッパー部材に当接されている位置を保持することができる。
【００２２】
請求項３に記載の発明によれば、上記一対の支持部材は、一方の上記支持部材の頂辺部に、対向する他方の上記支持部材に対して、下方から上方に向かい離間する方向に曲折された支持脚部が形成されているため、当該支持脚部が形成された上記一対の支持部材の一方側を水平面に載置した場合に、上記第１および第２の支持杆側に傾斜させることができる。この結果、各々の上記一対の支持部材、およびこれら上記支持部材間に配置された上記一対の第２の支持部材に、フライパンや鍋蓋などを載置した際に、落下することを防止することができる。
【００２３】
請求項４に記載の発明によれば、上記一対の支持部材、およびこれら支持部材間に配置された上記一対の第２の支持部材は、上記一対の支持部材の一方から他方に向かって高さ寸法が低くなるように、各々の高さ寸法が形成されているため、高さ寸法が最も高い上記一対の支持部材の一方側を水平面に載置した場合に、調理器具を載置する上記一対の支持部材および上記一対の第２の支持部材の内、最下位に配置される上記支持部材の載置場所が大きくなり、自ずと最下位に配置される上記支持部材に大きい重量物を載置することになる。これにより、上記キッチンラックを安定させて収納することができる。
【００２４】
請求項５に記載の発明によれば、上記一対の支持部材および上記一対の第２の支持部材には、各々の頂辺部の中央に凹部が形成されているため、鍋蓋に設けられた摘み部を掛けて収納することができる。これにより、上記キッチンラックに衝撃が与えられた場合に、外観扁平かつ円板状に形成さえた鍋蓋が上記キッチンラックより離脱することを防止することができる。
【図面の簡単な説明】
【００２５】
【図１】本発明のキッチンラックの一実施形態を示し、（ａ）は平面図、（ｂ）は正面図、（ｃ）右側面図である。
【図２】図１に記載のキッチンラックにフライパンを収納した状態を示す斜視図である。
【図３】図１に記載のキッチンラックにフライパンを収納したまま抽斗に収納した状態を示す斜視図である。
【図４】本発明のキッチンラックの一実施形態の変形例を示し、（ａ）は平面図、（ｂ）は正面図、（ｃ）右側面図、（ｄ）は水平面に載置した状態を示すである。
【図５】図４に記載のキッチンラックにフライパンを収納した状態を示す斜視図である。
【発明を実施するための形態】
【００２６】
図１に示すように、本発明の一実施形態のキッチンラック１は、両端部１ａに対向配置されて調理器具ｋを支承する一対の支持部材２が形成されている。この一対の支持部材２は、ステンレスやアルミニウムなどの金属製の線材により台形環状に形成されている。また、一対の支持部材２は、一方の支持部材２ｃが、他方の支持部材２ｄより高さ寸法が高く形成されている。そして、各々の頂辺部２ｂの中央には、略半円形状の凹部１０が形成されている。さらに、一方の支持部材２ｃには、頂辺部２ｂの凹部１０を挟み、他方の支持部材２ｄに対して離間する方向であって、かつ一方の支持部材２ｃに対して９０°曲折された支持脚部９が形成されている。また、一対の支持部材２は、一方の支持部材２ｃの底辺部と、他方の支持部材２ｄの底辺部に補強杆１１が架設されている。
【００２７】
また、一対の支持部材２間には、この支持部材２間に平行に配置されて、両端部３ａが各々支持部材２の側面下部２ａに接合された一対の第１の支持杆３と、この第１の支持杆３の上方に間隔おいて配設されて、両端部４ａが各々支持部材２の側面下部２ａに接合された一対の第２の支持杆４が形成されている。この一対の第１および第２の支持杆３、４は、ステンレスやアルミニウムなどの金属製の線材により形成されている。
【００２８】
そして、第１の支持杆３の両端部３ａが、一対の支持部材２の各々の側面下部２ａのＲ状に形成された角部と、この角部から連続して伸びる直線部との間に、溶接などにより一体的に接合されている。また、第２の支持杆４は、第１の支持杆３と平行に間隔を置いて配置され、両端部４ａが、一対の支持部材２の各々の側面下部２ａに、溶接などにより一体的に結合されている。
【００２９】
さらに、平行に配設された一対の第１および第２の支持杆３、４の間隔は、後述する一対の第１および第２の連結杆６、７が挿入可能な寸法に配置されている。また、一対の第１の支持杆３の外面に形成されたストッパー部材８は、一対の支持部材２と同質のステンレスやアルミニウムなどの金属製性の線材により形成され、一対の第１の支持杆３の間に架設されている。
【００３０】
また、一対の支持部材２間に配置されて、調理器具ｋを支承する一対の第２の支持部材５は、ステンレスやアルミニウムなどの金属製の線材により門型状に形成されている。また、一対の第２の支持部材５の側面は、台形環状に形成された一対の支持部材２の側面の傾斜角度と同一の角度により傾斜されている。そして、一対の支持部材５は、一方の支持部材５ｃが、他方の支持部材５ｄより高さ寸法が高く形成されている。なお、一対の支持部材５の一方の支持部材５ｃは、一対の支持部材２の一方の支持部材２ｃより高さ寸法が低く形成され、他方の支持部材５ｄは、一対の支持部材２の他方の支持部材２ｄより高さ寸法が高く形成されている。さらに、一対の第２の支持部材５の各々の頂辺部５ｂの中央には、略半円形状の凹部１０が形成されている。
【００３１】
そして、一対の第２の支持部材５間には、互いの両側面下部５ａ同士を連結する一対の第１の連結杆６と、第１の連結杆６の上方に平行に配設された一対の第２の連結杆７とが形成されている。この一対の第１および第２の連結杆６、７は、ステンレスやアルミニウムなどの金属製の線材により形成されている。この第１の連結杆６と第２の連結杆７とは、線材により角形状に形成した枠体を対向する対向する辺同士が平行になるように、もう一方の対向する辺の中央を曲折して形成されている。
【００３２】
さらに、一対の第１および第２の連結杆６、７は、一対の第２の支持部材５の側面下部５ａから外方に突出するとともに、第１の連結杆６が各々の側面下部５ａの端部から第１の支持杆の径寸法程度の間隔を置いて配置され、曲折部の両端部を一対の第２の支持部材５の各々の側面下部５ａに溶接などにより一体的に連結されることにより、一対の第２の支持部材５が一体化されて移動部材１２が形成されている。
【００３３】
また、一対の第１および第２の連結杆６、７は、その間隔が、第１の支持杆３の径寸法と同寸法により配設されているとともに、上述したように、第１および第２の支持杆３、４の間に挿入されて配置された際に、移動部材１２を一対の支持部材２間に移動自在に設けている。
【００３４】
また、図４は、本発明の一実施形態の変形例を示すものであり、図１に示したものと同一構成部分については、同一記号を付してその説明を簡略化する。
この変形例では、上記一実施例と同様の構成により形成されている。また、一対の支持部材２の一方の支持部材２ｃ側を水平面に載置することにより、一対の支持部材の一方の支持部材２ｃ、および一対の第２の支持部材に、フライパンｒや鍋蓋ｍを載置可能に配置される。また、移動部材１２は、一対の第１および第２の連結杆６、７の間に、一対の第１の支持杆３が挿入されるとともに、一対の第１の支持杆３の間に架設されたストッパー部材８に、一対の第２の支持部材５の側面下部５ａが当接して配置されている。
【００３５】
以上の構成によるキッチンラック１を用いて、フライパンｒおよび鍋蓋ｍなどの外観扁平な調理器具ｋを収納するには、まず、図１（ｃ）に示すように、キッチンラック１を水平面に載置して、一対の支持部材２および一対の第２の支持部材５が立設するように配置する。このときに、移動部材１２の一対の第１および第２の連結杆６、７を、第１および第２の支持杆３、４の間に挿入する。
【００３６】
次いで、図２に示すように、フライパンｒを一対の支持部材２の一方の支持部材２ｃと、一対の第２の支持部材５の一方の第２の支持部材５ｃとの間に挿入して収納する。このとき、フライパンｒの深さ寸法が大きい場合には、移動部材１２の一対の第１および第２の連結杆６、７を、一対の第１および第２の支持杆３、４の間を摺動させて、支持部材２と第２の支持部材５との間隔をフライパンｒの深さ寸法に合わせて調整する。この際に、一対の第２の支持部材５は、自らの弾性により、一対の第１および第２の支持杆３、４を押圧し、移動した位置を保持する。
【００３７】
さらに、キッチンラック１を載置する場所が狭い場合には、フライパンｒの柄を上方に向けて収納し、また場所に余裕がある場合には、フライパンｒの柄を水平面に当接させて収納する。そして、図３に示すように、フライパンｒおよび鍋蓋ｍをキッチンラック１に収納した状態のまま、キッチンに備え付けの抽斗ｔ内に収納することができる。この際に、鍋蓋ｍは、一対の支持部材２および一対の第２の支持部材５の各々の頂辺部２ｂ、５ｂの中央に形成された凹部１０に、鍋蓋ｍの摘み部を掛けて収納する。
【００３８】
また、図４に示す一実施形態の変形例では、まず、移動部材１２の一対の第１および第２の連結杆６、７の間に、第１の支持杆３を挿入する。このときに、一方の第２の支持部材５ｃの側面下部５ａを第１の支持杆３に架設されているストッパー部材８に当接させる。次いで、図４（ｄ）に示すように、一対の支持部材２の一方の支持部材２ｃ側を水平面に載置する。このときに、一方の支持部材２ｃの頂辺部２ｂに形成されている支持脚部９が、水平面に当接するため、キッチンラック１は、一対の第１および第２の支持杆３、４側に傾斜する。
【００３９】
そして、図５に示すように、フライパンｒの底面部を一対の第２の支持部材５の一方の支持部材５ｃに載置する。このときに、移動部材１２は、一方の支持部材５ｃの側面下部５ａがストッパー部材８に当接されているため、フライパンｒを載置しても、落下することはない。また、一対の支持部材２の一方の支持部材２ｃの頂辺部２ｂに形成されている支持脚部９により、キッチンラック１が一対の支持杆３、４側に傾斜しているため、収納するフライパンｒや鍋蓋ｍが手前側に滑り落ちてくるのを防ぐことができる。
【００４０】
さらに、調理器具ｋを載置する一対の支持部材２、および一対の第２の支持部材は、水平面側の一方の支持部材２ｃが最も載置場所が大きくなっているため、直径寸法が大きく重い調理器具ｋを一方の支持部材２ｃに載置することになる。これにより、キッチンラック１が安定する。
【００４１】
上述の実施形態によるキッチンラックによれば、移動部材１２の第１および第２の連結杆６、７が、第１および第２の支持杆３、４の間に挿入されて配置された際に、一対の支持部材２間に移動自在に設けられているため、水平面に支持部材２を立設させて載置する場合には、移動部材１２の第１および第２の連結杆６、７を、第１および第２の支持杆３、４の間に沿って移動させることにより、支持部材２と第２の支持部材間５の間隔を調整することができる。これにより、様々な深さ寸法のフライパンｒを収納することができる。
【００４２】
また、一対の第１の支持杆３の外面には、移動部材１２の第１および第２の連結杆６、７の間に第１の支持杆３が挿入されて配置された際に、第１の支持杆３の外面から突出する第２の支持部材５の側面下部５ａが当接され、移動部材１２の移動を規制するストッパー部材８が設けられているため、一対の支持部材２の一方の支持部材２ａ側を水平面に載置して、一対の第２の支持部材５のいずれかに、フライパンｒまたは鍋蓋ｍを水平に載置しても、移動部材１２ごと下方に落下することを防止することができる。これにより、フライパンｒや鍋蓋ｍを立て掛けて収納するだけでなく、鉛直方向に複数収納するこができ、用途や限れたスペースに適合させて使用することができる。
【００４３】
そして、一対の第２の支持部材５は、各々が線材により門型状に形成されているため、一対の支持部材２を水平面に立設させて使用している状態から、９０°回転させて、一対の支持部材２の一方を水平面に載置して使用する状態に変更する場合、またはその逆の変更の場合には、一対の第２の支持部材５の弾性を利用し、その側面下部５ａ近傍を弾性に抗して内方に押圧することにより、第１および第２の連結杆６、７を第１および第２の支持杆３、４の間に挿入して配置、または第１および第２の連結杆６、７を第１の支持杆３に挟んで配置することを簡便に行うことができる。
【００４４】
さらに、一対の第２の支持部材５が持つ弾性により、一体化された一対の第２の支持部材５を移動する際に、第１および第２の支持杆３、４の間から外れることがないとともに、移動した位置を保持することができる。また、第１の支持杆３を挟んで配置されている状態においても、ストッパー部材８に当接されている位置を保持することができる。
【００４５】
また、一対の支持部材２は、一方の支持部材２ｃの頂辺部２ｂに、対向する他方の支持部材２ｄに対して、下方から上方に向かい離間する方向に曲折された支持脚部９が形成されているため、当該支持脚部９が形成された一対の支持部材２の一方の支持部材２ｃを水平面に載置した場合に、第１および第２の支持杆３、４側に傾斜させることができる。この結果、各々の一対の支持部材２、およびこれら支持部材２間に配置された一対の第２の支持部材５に、フライパンｒや鍋蓋ｍなどを載置した際に、落下することを防止することができる。
【００４６】
そして、一対の支持部材２、およびこれら支持部材２間に配置された移動部材１２の一対の第２の支持部材５は、一対の支持部材２の一方から他方に向かって高さ寸法が低くなるように、各々の高さ寸法が形成されているため、高さ寸法が最も高い一対の支持部材２ｃを水平面に載置した場合に、調理器具ｋを載置する一対の支持部材２および一対の第２の支持部材５の内、最下位に配置される一方の支持部材２ｃの載置面が大きくなり、自ずと最下位に配置される一方の支持部材２ｃに大きい重量物を載置することになる。これにより、キッチンラック１を安定させて収納することができる。
【００４７】
さらに、一対の支持部材２および一対の第２の支持部材５には、各々の頂辺部２ｂ、５ｂの中央に凹部１０が形成されているため、鍋蓋ｍに設けられた摘み部を掛けて収納することができる。これにより、キッチンラック１に衝撃が与えられた場合に、外観扁平かつ円板状に形成さえた鍋蓋ｍがキッチンラック１より離脱することを防止することができる。
【００４８】
なお、上記実施の形態において、一対の支持部材２を線材により角環状に形成した場合のみ説明したが、これに限定されるものでなく、例えば、線材を楕円状に形成した円環状、または角形や円形に形成された平板でも対応可能である。
【産業上の利用可能性】
【００４９】
フライパンまたは鍋蓋などの調理器具の整理および収納に利用することができる。
【符号の説明】
【００５０】
１  キッチンラック
１ａ  両端部
２  支持部材
２ａ  側面下部
２ｂ  頂辺部
２ｃ  一方
２ｂ  他方
３  第１の支持杆
３ａ  両端部
４  第２の支持杆
４ａ  両端部
５  第２の支持部材
５ａ  側面下部
５ｂ  頂辺部
５ｃ  一方
５ｄ  他方
６  第１の連結杆
７  第２の連結杆
８  ストッパー部材
９  支持脚部
１０  凹部
ｋ  調理器具
ｒ  フライパン
ｍ  鍋蓋
【図１】
0005533551.tif 000002
【図２】
0005533551.tif 000003
【図３】
0005533551.tif 000004
【図４】
0005533551.tif 000005
【図５】
0005533551.tif 000006